(57)【要約】【課題】  弾丸の発射の際の基体部内部の力分配を最適化し応力負荷の増大を防止する。【解決手段】  火砲のための閉鎖機において、鎖栓（９）が少なくとも２つの軸方向に相前後して配置された段部（１２、１３）を有し、砲身（１）に隣接する第１の段部（１２）の添接面（１６）が正の傾斜を有し、第２の段部（１３）の添接面（１７）が負の傾斜を有しており、かつ基体部（２）の側方部分（３、４）の、段部（１２、１３）に関連する凹部（１４、１５）の傾斜方向が、鎖栓（９）の両方の段部（１２、１３）の添接面（１６、１７）の傾斜方向に相当する、ようにされている。【選択図】      図３
2006125832.tif 000002
【特許請求の範囲】
【請求項１】
砲身（１）の後部側に配置されている基体部（２）と、基体部（２）の切欠き（７）内で砲身（１）の砲腔軸（８）に対して垂直に摺動可能な鎖栓（９）とを有する、火砲用閉鎖機であって、
ａ）砲身（１）の砲腔軸（８）の方向に、鎖栓（９）が少なくとも２つの相前後して配置された、側方へ突出する段部（１２、１３）を有しており、前記段部が基体部（２）の切欠き（７）の側方部分（３、４）の対応する凹部（１４、１５）内へ嵌入し、弾丸の発射の際に、鎖栓（９）の段部（１２、１３）の、砲身（１）とは反対側の、添接面（１６、１７）として形成された側が、基体部（２）の側方部分（３、４）の凹部（１４、１５）の関連する添接面（１８、１９）に支持され；
ｂ）鎖栓（９）の、砲身（１）に隣接する第１の段部（１２）の添接面（１６）と、側方部分（３、４）の関連する第１の凹部（１４）の添接面（１８）が、それぞれ正の傾斜を有しており；
ｃ）鎖栓（９）の第２の段部（１３）の添接面（１７）と、側方部分（３、４）の関連する第２の凹部（１５）の添接面（１９）が、それぞれ負の傾斜を有している、
ことを特徴とする火砲用閉鎖機。
【請求項２】
鎖栓（９）の段部（１２、１３）の添接面（１６、１７）の傾斜角度（α１、α２）が、８°と１２°の間にあることを特徴とする請求項１に記載の閉鎖機。
【請求項３】
鎖栓（９）の段部（１２、１３）の添接面（１６、１７）の傾斜角度（α１、α２）および凹部（１４、１５）の添接面（１８、１９）の傾斜角度（β１、β２）が異なっていることを特徴とする請求項１または２に記載の閉鎖機。
【請求項４】
鎖栓（９）の段部（１２、１３）の添接面（１６、１７）の傾斜角度（α１、α２）と、凹部（１４、１５）の添接面（１８、１９）の傾斜角度（β１、β２）が、弾丸の発射の際に、まず第２の段部（１３）の添接面（１７）と基体部（２）の第２の凹部（１５）の関連する添接面（１９）が添接し、その後発射作用を受けてさらに負荷がかかる間の弾性変形によって、第１の段部（１２）の添接面（１６）と基体部（２）の関連する第１の凹部（１４）の添接面（１８）が平面的に完全に添接するように、選択されていることを特徴とする請求項１から３のいずれか１項に記載の閉鎖機。
【請求項５】
基体部（２）の切欠き（７）の側方部分（３、４）が、後部側においてウェブ（５、６）を介して互いに堅固に結合されていることを特徴とする請求項１から４のいずれか１項に記載の閉鎖機。
【発明の詳細な説明】
【技術分野】
【０００１】
本発明は、砲身の後部側に配置されている基体部と基体部の切欠き内で砲身の砲腔軸に対して垂直に摺動可能な鎖栓とを有する火砲用閉鎖機に関する。
【背景技術】
【０００２】
この種の閉鎖機は、従来技術（たとえば、特許文献１、特許文献２を参照）から知られている。その場合にそれぞれの鎖栓は、その両方の側面に、砲身の砲腔軸の方向に見て、相前後して配置された複数の鋸歯状の段部を有しており、それらの段部が基体部の切欠きの側壁の対応する凹部内へ嵌入するので、弾丸の発射の際に、鎖栓の段部の、砲身とは反対側の、添接面として形成された側が、基体部の側壁の凹部の関連する添接面に支持される。鎖栓の個々の段部の添接面と、側壁の関連する凹部の添接面は、既知の閉鎖機においては、ほぼすべてが同一の傾斜方向を有している。
【０００３】
従来技術（たとえば、特許文献３を参照）から、さらに、閉鎖機が知られており、その閉鎖機の鎖栓は３つの鋸歯状の段部を有しており、それらが基体部の側壁の凹部の関連する添接面に関して、弾丸の発射の際に、まず鎖栓の２つの対向する後部側の段部の添接面が基体部の関連する添接面に、そして圧力が増すにつれて初めて他の段部の添接面も基体部の関連する添接面に対して圧接されるように、配置されている。そのために、並べて配置された個々の段部の添接面は、異なる側面角度を有しており、その側面角度はもちろん、基体部の凹部の関連する添接面の側面角度と一致する。この鎖栓においても、個々の段部は、ほぼすべて同一の、すなわち正の傾斜方向（砲腔軸に沿って砲身の砲口へ向かって見た場合）を有している。
【０００４】
さらに、前記従来技術（特許文献３を参照）は、鎖栓を開示しており、その鎖栓の後部側に基体部内へ進入可能なウェブが固定されており、そのウェブが基体部の両側面（基体部側面）を互いに結合して、弾丸の発射の際に拡幅を防止する。
【特許文献１】米国特許ＵＳ８９８８４０号明細書
【特許文献２】独国特許出願公開ＤＥ１９８２３７８５Ａ１明細書
【特許文献３】米国特許ＵＳ５０１４５９２号明細書
【発明の開示】
【発明が解決しようとする課題】
【０００５】
従来技術（特許文献３を参照）に基づいて、本発明の課題は、既知の閉鎖機に比較してより最適な、弾丸の発射の際の基体部内部の力分配を達成し、それによって応力負荷の増大を抑制することである。
【課題を解決するための手段】
【０００６】
この課題は、本発明によれば、請求項１の特徴によって解決される。本発明の他の、特に好ましい形態が、従属請求項に開示されている。
【０００７】
本発明は、大体において、その鎖栓が、軸方向に相前後して配置された少なくとも２つの段部を有する、閉鎖機を設ける、という考えに基づいており、その場合に砲身に隣接する第１の段部の添接面は、正の傾斜方向を有し、第２の段部の添接面は負の傾斜方向を有する。基体部の側壁の、段部に関連する凹部の添接面の傾斜方向は、２つの段部の添接面の傾斜方向に相当する。
【０００８】
鎖栓の段部の添接面の傾斜角度が、８°と１２°の間にあると、効果的であることが明らかにされた。
【０００９】
本発明の実施形態において、鎖栓の２つの段部の添接面の傾斜角度と、凹部の添接面の傾斜角度は、弾丸の発射の際に、まず、第２の段部および基体部の関連する凹部の添接面が添接し、その後発射作用を受けてさらに負荷が増す間の弾性的な変形によって、第１の段部および基体部の関連する凹部の添接面が完全に平面的に添接するように、選択されている。
【００１０】
本発明の他の実施形態においては、基体部の切欠きの側壁は、後部側においてウェブを介して互いに堅固に結合されているので、弾丸の発射の際に、直接力が側面へ導入された場合の基体部側面の拡幅が減少される。その場合にウェブは、第２の段部の添接面および凹部の関連する添接面の負の傾斜の使用によって、引張り負荷を除去される。
【発明を実施するための最良の形態】
【００１１】
本発明の他の詳細と利点は、図を用いて説明する、以下の実施例から明らかにされる。
【００１２】
図１に、符号１で砲身が示されており、その後部側にそれ自体知られた方法で、基体部２が固定されている。基体部２は、後方の端部へ向かってフォーク状に形成され、２つの側方部分（基体部側面）３、４を有しており、それら側方部分が上方のウェブ５または（破線で示唆する）下方のウェブ６によって互いに堅固に結合されている。基体部２の側方部分３、４とウェブ５、６は、切欠き７を画成し、その切欠き内に砲身１の砲腔軸８に対して垂直に鎖栓９（図２）を、摺動可能に配置することができる。
【００１３】
鎖栓９は、その側面１０、１１の各々に、砲腔軸８の方向に見て、相前後して配置された２つの、側方へ突出する段部１２、１３を有しており、それら段部が、基体部２の側方部分３、４の対応する凹部１４、１５内へ嵌入する。従って弾丸の発射の際に、鎖栓９の段部１２、１３の、砲身１とは反対側の、添接面１６、１７として形成された側が、基体部２の側方部分３、４の凹部１４、１５の関連する添接面１８、１９に支持される。その場合に鎖栓９の、砲身１に隣接する第１の段部１２の添接面１６と、側方部分３、４の関連する第１の凹部１４の添接面１８は、それぞれ傾斜角度α１とβ１（たとえば１０°の大きさ）を有する正の傾斜を有している。それに対して鎖栓９の第２の段部１３の添接面１７と、側方部分３、４の関連する第２の凹部１５の添接面１９は、それぞれ傾斜角度α２とβ２（たとえば同様に約１０°）の負の傾斜を有している。
【００１４】
図３から明らかなように、鎖栓９の段部１２、１３の添接面１６、１７の傾斜角度α１とα２および凹部１４、１５の添接面１８、１９の傾斜角度β１とβ２は、図示の実施例においては、異なっているので、負荷のない状態においては、段部１２、１３の添接面１６、１７と凹部１４、１５の添接面１８、１９の間には、それぞれ線形の接触のみが存在する。その後弾丸の発射の際に、負荷が増大するにつれて初めて、段部１２、１３と凹部１４、１５の対応する添接面１６、１７、１８、１９が互いに対して均一に圧接されるので、負荷がかかった場合の線形の圧接が回避されて、それによって摩耗の危険が減少される。
【００１５】
さらに、負荷がかかった場合に第２の段部１３の添接面１７が、まず基体部２の第２の凹部１５の補足的な添接面１９に添接し、その後発射作用を受けてさらに負荷がかかる間の弾性変形によって、第１の段部１２の添接面１６が、基体部２の第１の凹部１４の相補的な添接面１８に添接するようにすることができる。
【図面の簡単な説明】
【００１６】
【図１】本発明に基づく閉鎖機を有する大口径兵器の基体部を、鎖栓なしで示す斜視図である。
【図２】図１に示す閉鎖機用に定められた鎖栓を示している。
【図３】図１に示す閉鎖機を、圧力負荷がかかる前において、鎖栓と共に拡大して示す断面図である。
【符号の説明】
【００１７】
１    砲身
２    基体部
３、４    側方部分
５、６    ウェブ
７    切欠き
８    砲腔軸
９    鎖栓
１０、１１    側（鎖栓）
１２    （第１の）段部
１３    （第２の）段部
１４    （第１の）凹部
１５    （第２の）凹部
１６、１７    添接面（段部の）
１８、１９    添接面（凹部の）
α１、α２    段部の添接面の傾斜角度
β１、β２    凹部の添接面の傾斜角度
【図１】
2006125832.tif 000003
【図２】
2006125832.tif 000004
【図３】
2006125832.tif 000005